(57)【要約】【課題】  本発明は、携帯情報端末を使って、ネットワーク上にある情報を簡単に電子メール送信したり、FAXしたりすることができる画像形成システムを提供することを目的とする。【解決手段】  本発明に係る画像形成システムは、画像形成装置１は、携帯情報端末２が要求したWeb画面情報に、画像形成装置１がWeb画面情報に対し携帯情報端末２の要求に応じて実行する処理内容を表すWeb画面付加情報を付加するWeb画面情報付加手段４０と、Web画面情報とWeb画面付加情報とを携帯情報端末２に送信するWeb画面情報送信手段５０と、携帯情報端末２は、Web画面情報とWeb画面付加情報とを携帯情報端末２の操作画面上に表示するWeb画面表示手段１００と、操作画面上で選択されたWeb画面付加情報に対応した処理要求を画像形成装置１に通知する処理要求通知手段１１０と、を有することを特徴とする。【選択図】図２
2009176159.tif 000002
【特許請求の範囲】
【請求項１】
Webクライアント機能を有する携帯情報端末と無線回線で接続され、Webサーバ機能とプロキシサーバ機能とを有する画像形成装置であって、
前記携帯情報端末が要求したWeb画面情報に、当該画像形成装置が前記Web画面情報に対し、前記携帯情報端末の要求に応じて実行する処理内容を表すWeb画面付加情報を、付加するWeb画面情報付加手段と、
前記Web画面情報と、前記Web画面付加情報と、を前記携帯情報端末に送信するWeb画面情報送信手段と、
前記Web画面情報送信手段により送信された前記Web画面情報と前記Web画面付加情報とが表示された前記携帯情報端末の操作画面上で、選択されたWeb画面付加情報に対応した前記携帯情報端末からの処理要求に基づき、処理を実行する処理要求実行手段と、を有することを特徴とする画像形成装置。
【請求項２】
前記Web画面情報付加手段は、前記Web画面情報の印刷を実行するための前記Web画面付加情報を付加することを特徴とする請求項１に記載の画像形成装置。
【請求項３】
前記Web画面情報付加手段は、前記Web画面情報の電子メール送信を実行するための前記Web画面付加情報を付加することを特徴とする請求項１に記載の画像形成装置。
【請求項４】
前記Web画面情報付加手段は、前記Web画面情報のFAX送信を実行するための前記Web画面付加情報を付加することを特徴とする請求項１に記載の画像形成装置。
【請求項５】
前記無線回線は、ブルートゥース規格に準拠した通信方式による無線通信であることを特徴とする請求項１に記載の画像形成装置。
【請求項６】
Webクライアント機能を有する携帯情報端末と無線回線で接続され、Webサーバ機能とプロキシサーバ機能とを有する画像形成装置の画像形成方法であって、
前記携帯情報端末が要求したWeb画面情報に、当該画像形成装置が前記Web画面情報に対し、前記携帯情報端末の要求に応じて実行する処理内容を表すWeb画面付加情報を、付加するWeb画面情報付加手順と、
前記Web画面情報と、前記Web画面付加情報と、を前記携帯情報端末に送信するWeb画面情報送信手順と、
前記Web画面情報送信手順により送信された前記Web画面情報と前記Web画面付加情報とが表示された前記携帯情報端末の操作画面上で、選択されたWeb画面付加情報に対応した前記携帯情報端末からの処理要求に基づき、処理を実行する処理要求実行手順と、を有することを特徴とする画像形成方法。
【請求項７】
Webクライアント機能を有する携帯情報端末と無線回線で接続され、Webサーバ機能とプロキシサーバ機能とを有する画像形成装置の画像形成プログラムであって、
コンピュータに、
前記携帯情報端末が要求したWeb画面情報に、当該画像形成装置が前記Web画面情報に対し、前記携帯情報端末の要求に応じて実行する処理内容を表すWeb画面付加情報を、付加するWeb画面情報付加手順と、
前記Web画面情報と、前記Web画面付加情報と、を前記携帯情報端末に送信するWeb画面情報送信手順と、
前記Web画面情報送信手順により送信された前記Web画面情報と前記Web画面付加情報とが表示された前記携帯情報端末の操作画面上で、選択されたWeb画面付加情報に対応した前記携帯情報端末からの処理要求に基づき、処理を実行する処理要求実行手順と、を実行させることを特徴とする画像形成プログラム。
【請求項８】
Webサーバ機能とプロキシサーバ機能とを有する画像形成装置と、Webクライアント機能を有する携帯情報端末と、が無線回線で接続されている画像形成システムであって、
前記画像形成装置は、前記携帯情報端末が要求したWeb画面情報に、当該画像形成装置が前記Web画面情報に対し、前記携帯情報端末の要求に応じて実行する処理内容を表すWeb画面付加情報を、付加するWeb画面情報付加手段と、
前記Web画面情報と、前記Web画面付加情報と、を前記携帯情報端末に送信するWeb画面情報送信手段と、
前記携帯情報端末は、前記Web画面情報送信手段により送信された、前記Web画面情報と前記Web画面付加情報とを当該携帯情報端末の操作画面上に表示するWeb画面表示手段と、
前記操作画面上で選択された前記Web画面付加情報に対応した処理要求を、前記画像形成装置に通知する処理要求通知手段と、を有することを特徴とする画像形成システム。
【発明の詳細な説明】
【技術分野】
【０００１】
本発明は、プリンタ機、FAX機、及びこれらの機能を両方備える複合機に関する。
【背景技術】
【０００２】
近年、デバイスの小型化・軽量化に伴い、個人で使用する携帯端末装置が多種多様になってきている。例えば、小型パーソナルコンピュータ、携帯端末装置、携帯電話などがある。一方では、通信周波数制御回路や電波強度の調整機能などの技術進歩により、高速であり、かつ、消費電力の低い通信方式が実現されるようになってきている。このような低電力ワイヤレス通信方式が、携帯電話端末やノート型PC（Personal Computer）、個人用情報機器（PDA：Personal Digital Assistant）など多くの情報機器に採用されてきている。
【０００３】
また、低電力ワイヤレス通信方式の代表例として、Bluetooth（登録商標）が挙げられる。特に、このBluetooth（登録商標）方式を主導するBluetooth SIG（Special Interest Group）では、普及促進のため、通信を利用するアプリケーション毎にプロトコルスタックの組み合わせをプロファイルとして規定しており、Bluetooth（登録商標）準拠デバイス間の相互接続性も確保している。
【０００４】
例えば"Dial-up Networking profile"では、携帯電話端末などをインターネットブリッジとして使用する場合の通信プロトコルや通信手順が定められている。
【０００５】
このような背景の下、Bluetooth（登録商標）などの低消費電力ワイヤレス通信方式を採用した個人用情報機器（PDA）から、同様の低消費電力ワイヤレス方式を採用した携帯電話を経由して、インターネット環境にダイヤルアップ接続（PPP接続：Point to Point Protocol接続）を行い、自由にインターネット環境を利用できるようになってきている。
【０００６】
しかしながら、上記のシステム例のように、携帯電話端末と個人用情報機器の接続といった、標準化されたプロトコルスタックの組み合わせによって接続が可能な機器間では、相互に接続が可能であるが、例えば、印刷装置とPDAといったこれまで標準化された接続プロファイルが規定されていないような機器間では、新たなプロファイルを規定しなければならず、また、新たに規定されたプロファイルをそれぞれの機器に対して個別に実装しなければならないため、容易な異機種間の接続を妨げてしまっているのも現状である。
【０００７】
そこで、特許文献１では、既存の通信プロトコルを利用して、印刷装置と外部情報処理装置との間で無線通信インタフェースを介した接続処理及びデータ通信サービス処理を容易に行う印刷システムが提案されている。
【特許文献１】特開２００５−１６５９１１号公報
【発明の開示】
【発明が解決しようとする課題】
【０００８】
しかしながら、特許文献１に記載されたものは、印刷装置のドライバを携帯情報端末にインストールしてからでないと、携帯情報端末から印刷装置の機能を利用することはできないという問題点がある。
【０００９】
また、携帯情報端末の通信機能は低く、インターネット等のネットワークからデータをダウンロードして、更にそのデータを印刷装置へ転送するには、時間が掛かり過ぎるという問題点がある。
【００１０】
そこで、本発明では、上記課題に鑑み、携帯情報端末を使って、ネットワーク上にある情報を簡単に電子メール送信や、FAX送信をすることができる画像形成装置、画像形成システムを提供することを目的とする。
【課題を解決するための手段】
【００１１】
本発明に係る画像形成装置は、Webクライアント機能を有する携帯情報端末と無線回線で接続され、Webサーバ機能とプロキシサーバ機能とを有する画像形成装置であって、前記携帯情報端末が要求したWeb画面情報に、当該画像形成装置が前記Web画面情報に対し、前記携帯情報端末の要求に応じて実行する処理内容を表すWeb画面付加情報を、付加するWeb画面情報付加手段と、前記Web画面情報と、前記Web画面付加情報と、を前記携帯情報端末に送信するWeb画面情報送信手段と、前記Web画面情報送信手段により送信された前記Web画面情報と前記Web画面付加情報とが表示された前記携帯情報端末の操作画面上で、選択されたWeb画面付加情報に対応した前記携帯情報端末からの処理要求に基づき、処理を実行する処理要求実行手段と、を有することを特徴とする。
【００１２】
また、本発明に係る画像形成装置の一形態では、前記Web画面情報付加手段は、前記Web画面情報の印刷を実行するための前記Web画面付加情報を付加することを特徴とする。
【００１３】
また、本発明に係る画像形成装置の一形態では、前記Web画面情報付加手段は、前記Web画面情報の電子メール送信を実行するための前記Web画面付加情報を付加することを特徴。
【００１４】
また、本発明に係る画像形成装置の一形態では、前記Web画面情報付加手段は、前記Web画面情報のFAX送信を実行するための前記Web画面付加情報を付加することを特徴とする。
【００１５】
また、本発明に係る画像形成装置の一形態では、前記無線回線は、ブルートゥース規格に準拠した通信方式による無線通信であることを特徴とする。
【００１６】
さらに、本発明に係る画像形成システムは、Webサーバ機能とプロキシサーバ機能とを有する画像形成装置と、Webクライアント機能を有する携帯情報端末と、が無線回線で接続されている画像形成システムであって、前記画像形成装置は、前記携帯情報端末が要求したWeb画面情報に、当該画像形成装置が前記Web画面情報に対し、前記携帯情報端末の要求に応じて実行する処理内容を表すWeb画面付加情報を、付加するWeb画面情報付加手段と、前記Web画面情報と、前記Web画面付加情報と、を前記携帯情報端末に送信するWeb画面情報送信手段と、前記携帯情報端末は、前記Web画面情報送信手段により送信された、前記Web画面情報と前記Web画面付加情報とを当該携帯情報端末の操作画面上に表示するWeb画面表示手段と、前記操作画面上で選択された前記Web画面付加情報に対応した処理要求を、前記画像形成装置に通知する処理要求通知手段と、を有することを特徴とする。
【００１７】
従って、本発明によれば、携帯情報端末を使って、ネットワーク上にある情報を簡単に電子メール送信したり、FAXしたりすることができる画像形成装置、画像形成システムを提供することができる。
【発明の効果】
【００１８】
本発明では、携帯情報端末を使って、ネットワーク上にある情報を簡単に電子メール送信したり、FAXしたりすることができる画像形成装置、画像形成システムを提供することができる。
【発明を実施するための最良の形態】
【００１９】
図面を参照しながら、本発明を実施するための最良の形態について説明する。
【００２０】
（本実施の形態に係る画像形成システムの動作原理）
図１を用いて、本発明の実施の形態に係る画像形成システムのシステム構成例を説明する。図１は、本実施の形態に係る画像形成システムのシステム構成例を示す図である。
【００２１】
本実施の形態に係る画像形成システムは、画像形成装置１と携帯情報端末１とから構成される。画像形成装置１は、Webサーバ機能とプロキシサーバ機能を有する。携帯情報端末1は、Webクライアント機能を有する。そして、画像形成装置１と携帯情報端末２とは、無線回線で接続されている。ここで、無線回線は、赤外線通信でも良く、Bluetooth（登録商標）規格に準拠した通信方式による無線通信であっても良い。
【００２２】
一般的に、Webクライアントは、Web画面情報を要求するHTTPリクエストを、Webサーバに送信し、Webサーバは、この要求されたWeb画面情報をHTTPレスポンスとして、Webクライアントに送信する。また、プロキシサーバは、受信したHTTPリクエストを外部ネットワークへ転送し、そして、外部ネットワークから要求するWeb画面情報であるHTTPレスポンスを受信したら、そのHTTPレスポンスをWebクライアントに転送する。
【００２３】
本実施の形態に係る画像形成システムでは、携帯情報端末２が画像形成装置１に対し、Web画面情報の要求（HTTPリクエスト：Hypertext Transfer Protocolリクエスト）を行う。それに応じて、画像形成装置１は、要求されたWeb画面情報を画像形成装置１が有している場合には、そのWeb画面情報に特定の修正を加えたもの（HTTPレスポンス）を携帯情報端末２に送信する。一方、要求されたWeb画面情報が外部ネットワーク上にある場合には、携帯情報端末２が送信したHTTPリクエストをその外部ネットワークに転送し、その後、要求されたWeb画面情報を取得して、そのWeb画面情報に特定の修正を加えたもの（HTTPレスポンス）を携帯情報端末２に送信する。
【００２４】
他方、携帯情報端末２は、画像形成装置１が送信したWeb画面情報を操作画面に表示する。そして、そのWeb画面情報には、「PRINT」、「FAX」、「e-mail」等の付加的な情報が表示され、それらを選択すると、画像形成装置１が元のWeb画面情報を、例えば、印刷したり、指定先へFAXで送信したり、指定先へe-mailで送信したりする。
【００２５】
ここでは、図２を用いて、本実施の形態に係る画像形成システムの動作原理について説明する。図２は、本実施の形態に係る画像形成システムの動作原理を示す図である。
【００２６】
画像形成装置１は、Web画面情報要求転送手段１０、Web画面情報要求受信手段２０、Web画面情報取得手段３０、Web画面情報付加手段４０、Web画面情報送信手段５０、処理要求実行手段６０、処理要求受信手段７０を有する。
【００２７】
Web画面情報要求受信手段２０は、携帯情報端末２からのWeb画面情報の要求、すなわち、WebクライアントからのHTTPリスクエストを受信する。
【００２８】
Web画面情報要求転送手段１０は、Web画面情報要求受信手段２０で受信した携帯情報端末２からのHTTPリクエストが要求するWeb画面情報が、Webサーバである画像形成装置１内に無い場合に、この携帯情報端末２０からのHTTPリクエストを外部Webサーバに転送するかたちで、Web画面情報を要求する。すなわち、Web画面情報要求転送手段１０は、画像形成装置１のプロキシサーバ機能を実現している。
【００２９】
Web画面情報取得手段３０は、携帯情報端末２の要求するWeb画面情報がWebサーバである画像形成装置１内にある場合は、それを取得する。一方、Web画面情報取得手段３０は、携帯情報端末２の要求するWeb画面情報がWebサーバである画像形成装置１内に無い場合は、Web画面情報要求転送手段１０が転送したHTTPリスクエストに外部Webサーバが応答して、通知してきたWeb画面情報１２０を受信する。
【００３０】
Web画面情報付加手段４０は、Web画面情報１２０に対し、携帯情報端末２の要求に応じて、画像形成装置１が実行する処理内容を表すWeb画面付加情報１３０を付加する。ここで、図３は、Web画面情報１２０とWeb画面付加情報１３０の表示例を示す図である。図３に示す携帯情報端末２が要求したWeb画面情報１２０に、Web画面情報付加手段４０による処理を施すことで、「PRINT」、「FAX」、「e-mail」といったWeb画面付加情報１３０が付加される。例えば、Web画面情報付加手段４０は、HTML（HyperText Markup Language）で記載されたWeb画面情報１２０のソースコードに、Web画面付加情報１３０である「PRINT」、「FAX」、「e-mail」を表示させるコード（例：＜button＞・・・＜／button＞）を付加する。
【００３１】
Web画面情報送信手段５０は、携帯情報端末２が要求したWeb画面情報１２０とWeb画面情報付加手段４０がWeb画面情報１２０に付加したWeb画面付加情報１３０とを、携帯情報端末２に送信する。これは、携帯情報端末２のHTTPリクエストに対応するHTTPレスポンスに相当する。
【００３２】
処理要求受信手段７０は、Web画面情報１２０に対して施す処理に関して、携帯情報端末２の要求を受信する。
【００３３】
処理要求実行手段６０は、Web画面情報１２０に対し、処理要求受信手段７０が受信した要求に対応した処理を実行する。例えば、携帯情報端末２の操作画面上に表示される、図３のWeb画面付加情報１３０の「PRINT」が選択されると、画像形成装置１は、携帯情報端末２で設定された用紙サイズ指定等の詳細情報に従って、Web画面情報１２０を印刷する。また、携帯情報端末２の操作画面上に表示される、図３のWeb画面付加情報１３０の「FAX」が選択されると、画像形成装置１は、携帯情報端末２で設定された送信先等の詳細情報に従って、Web画面情報１２０をFAXで送信する。さらに、携帯情報端末２の操作画面上に表示される、図３のWeb画面付加情報１３０の「e-mail」が選択されると、画像形成装置１は、携帯情報端末２で設定された送信先等の詳細情報に従って、Web画面情報１２０を電子メールで送信する。
【００３４】
一方、携帯情報端末２は、Web画面情報要求手段８０、Web画面情報受信手段９０、Web画面情報表示手段１００、詳細情報設定手段１０５、処理要求通知手段１１０を有する。
【００３５】
Web画面情報要求手段８０は、Webサーバ及びプロキシサーバである画像形成装置１に対し、Web画面情報を要求する。つまり、Web画面情報要求手段８０は、画像形成装置１に対し、HTTPリクエストを送信する。
【００３６】
Web画面情報受信手段９０は、Web画面情報送信手段５０が送信したWeb画面情報１２０とWeb画面付加情報１３０とを受信する。つまり、Web画面情報受信手段９０は、画像形成装置１が送信したHTTPレスポンスを受信する。
【００３７】
Web画面情報表示手段１００は、Web画面情報受信手段９０が受信したWeb画面情報１２０とWeb画面付加情報１３０とを、携帯情報端末２が有するWebブラウザを用いて操作画面に表示する。例えば、Web画面情報表示手段１００は、図３に示すように、本文（Web画面情報１２０）と「PRINT」、「FAX」、「e-mail」の文字（Web画面付加情報１３０）とを操作画面に表示する。
【００３８】
詳細情報設定手段１０５は、Web画面情報表示手段１００が表示する操作画面上で、選択されたWeb画面付加情報１３０に対応した詳細情報を設定する。例えば、ユーザによりWeb画面付加情報１３０の「PRINT」が選択された場合は、Web画面情報１２０を印刷させる用紙サイズの指定等を行う設定画面を表示し、そういった詳細情報を設定する。また、例えば、ユーザによりWeb画面付加情報１３０の「FAX」が選択された場合は、Web画面情報１２０をFAX送信する送信相手先の指定等を行う設定画面を表示し、そういった詳細情報を設定する。さらに、例えば、ユーザによりWeb画面付加情報１３０の「e-mail」が選択された場合は、Web画面情報１２０を電子メール送信する送信相手先の指定等を行う設定画面を表示し、そういった詳細情報を設定する。
【００３９】
処理要求通知手段１１０は、Web画面情報１２０に対して施すべき処理内容と詳細情報設定手段１０５が設定した詳細情報とを、画像形成装置１に対し、通知する。ここで、処理要求通知手段１１０は、図３に示す「PRINT」、「FAX」、「e-mail」といったWeb画面付加情報１３０を選択することによって、その選択された処理をWeb画面情報１２０に対し実行する旨の要求を、画像形成装置１に通知する。
【００４０】
以下では、本実施の形態に係る画像形成システムの処理動作を説明する。
【００４１】
はじめに、携帯情報端末２が、Web画面情報１２０とWeb画面付加情報１３０とを取得し、自身の操作画面に表示するまでを説明する。
【００４２】
まず、Web画面情報要求手段８０が、画像形成装置１に対し、Web画面情報１２０の要求、すなわち、HTTPリクエストを送信する。そして、そのHTTPリクエストをWeb画面情報要求受信手段２０が受信し、要求されるWeb画面情報１２０がWebサーバである画像形成装置１内にある場合は、それを取得する。一方、携帯情報端末２のHTTPリクエストが要求するWeb画面情報が画像形成装置１内に無い場合は、画像形成装置１はプロキシサーバとしての役割を果たし、Web画面情報要求転送手段１０がそのHTTPリクエストを外部ネットワークのWebサーバに転送する。そして、Web画面情報取得手段３０がそれに応答するHTTPレスポンスを受信し、携帯情報端末２の要求したWeb画面情報１２０を取得する。
【００４３】
次に、Web画面情報付加手段４０が、上記取得したWeb画面情報１２０に、携帯情報端末２の要求に応じて、画像形成装置１が実行する処理内容を表すWeb画面付加情報１３０を付加する。そして、Web画面情報送信手段５０が、これらWeb画面情報１２０とWeb画面付加情報１３０とを、携帯情報端末２に送信し、Web画面情報受信手段９０が、これを受信する。
【００４４】
最後に、Web画面情報表示手段１００が、Web画面情報受信手段９０が受信したWeb画面情報１２０とWeb画面付加情報１３０とを、携帯情報端末２の操作画面に表示する。
【００４５】
今度は、画像形成装置１が、Web画面情報１２０に対し、携帯情報端末２の操作画面上で選択された処理を実行するまでを説明する。
【００４６】
まず、Web画面情報表示手段１００が表示したWeb画面付加情報１３０をユーザが選択すると、詳細情報設定手段１０５が、選択されたWeb画面付加情報１３０に対応した詳細情報を設定する画面を表示する。そして、ユーザはその画面で詳細情報を入力し、詳細情報が設定される。そうすると、処理要求通知手段１１０は、その選択されたWeb画面付加情報１３０に応じた処理要求と詳細情報設定手段１０５が設定した詳細情報とを、画像形成装置１に対し通知する。
【００４７】
一方、画像形成装置１では、処理要求受信手段７０が、処理要求通知手段１１０が通知した処理要求と詳細情報設定手段１０５が設定した詳細情報とを受信し、処理内容実行手段６０が、Web画面情報１２０に対し、受信した要求に応じた処理を実行する。
【００４８】
例えば、図３のWeb画面付加情報１３０のうち、「PRINT」が選択された場合、画像形成装置１はWeb画面情報１２０を設定された詳細情報に従って印刷し、また「FAX」が選択された場合、画像形成装置１はWeb画面情報１２０を設定された詳細情報に従ってFAXで送信し、さらに「e-mail」が選択された場合、画像形成装置１はWeb画面情報１２０を設定された詳細情報に従って電子メールで送信する。
【００４９】
このようにすることで、携帯情報端末を使って、ネットワーク上にある情報を簡単に電子メールで送信したり、FAXしたりすることができるような画像形成システム、画像形成装置を提供することができる。
【００５０】
（本実施の形態に係る画像形成装置のハードウェア構成例）
図４を用いて、本実施の形態に係る画像形成装置１のハードウェア構成例について説明する。図４は、本実施の形態に係る画像形成装置１のハードウェア構成例を示す図である。
【００５１】
図４に示すように、画像形成装置１は、CPU（Central Processing Unit）２００、ROM（Read Only Memory）２１０、RAM（Random Access Memory）２２０、フラッシュメモリ２３０、HDD（Hard Disk Drive）２４０、FCU（Facsimile Control Unit）２５０、ネットワークI/F（Interface）２６０、無線通信I/F２７０、表示装置２８０、プロッタ２９０から構成される。
【００５２】
CPU２００は、ROM２１０に記憶されたプログラムを実行する装置で、RAM２２０に展開（ロード）されたデータを、プログラムの命令に従って演算処理し、画像形成装置１の全体を制御する。
【００５３】
ROM２１０は、CPU２００が実行するプログラムやデータを記憶されている。
【００５４】
RAM２２０は、CPU２００でROM２１０に記憶されたプログラムを実行する際に、実行するプログラムやデータが展開（ロード）され、演算の間、演算データを一時的に保持する。
【００５５】
フラッシュメモリ２３０は、電源を切ってもデータが消えず保存される半導体メモリのことであり、画像形成装置１のセットアップ情報等が保存されている。
【００５６】
HDD２４０は、基本ソフトウェアであるOS（Operating System）や本実施の形態に係る情報処理プログラムを含むアプリケーションプログラムや機能拡張用のプラグインなどを関連するデータとともに記憶する装置である。
【００５７】
FCU２５０は、公衆回線網に接続され、画像形成装置１内のデジタル信号と公衆回線網内のアナログ信号との変換を行い、G３プロトコルに従って公衆回線網に対してファクシミリ送受信を行う。
【００５８】
ネットワークI/F２６０は、通信ネットワークを介して接続された他の通信制御機能を備えた周辺機器と情報（データ）をやり取りするインタフェースである。本実施の形態では、LANに接続され、TCP/IP（Transmission Control Protocol / Internet Protocol）などの通信プロトコルに従ってLANとのデータやメールの送信を行う。
【００５９】
無線通信I/F２７０は、携帯情報端末２と無線通信を行うためのインタフェースである。例えば、Bluetooth（登録商標）規格に準拠した通信やWi-Fi（登録商標）規格に準拠した通信であっても良い。
【００６０】
表示装置２８０は、ハードキーによるキースイッチとLCD（Liquid Crystal Display）とから構成され、画像形成装置１が有する機能をユーザが利用する際に、各種設定を行うなどのユーザインタフェースとして機能する装置である。
【００６１】
プロッタ２９０は、画像データを紙に出力する装置である。
【００６２】
以下に、画像形成装置１の動作を説明する。
【００６３】
Web画面情報受信手段２０は、無線通信I/F２７０を介して、携帯情報端末２のHTTPリクエストを受信する。そして、Web画面情報要求転送手段１０は、ネットワークI/F２６０を介して、外部ネットワークのWebサーバに、携帯情報端末２のHTTPリクエストを転送する。また、Web画面情報取得手段３０は、ネットワークI/F２６０を介して、外部ネットワークのWebサーバからのHTTPレスポンスを受信する。一方、HTTPリクエストが要求するWeb画面情報１２０が画像形成装置１内にある場合、Web画面情報取得手段３０は、そのWeb画面情報１２０をHDD２４０から読み出す。そして、Web画面情報取得手段３０が取得したWeb画面情報１２０は、一旦、HDD２４０に保存される。
【００６４】
次に、Web画面情報付加手段４０は、HDD２４０からWeb画面情報１２０を読み出し、Web画面情報１２０にWeb画面付加情報１３０を付加する。そして、これらはHDD２４０に保存される。
【００６５】
さらに、Web画面情報送信手段５０は、HDD２４０からWeb画面情報１２０とWeb画面付加情報１３０とを読み出し、無線通信I/F２７０を介して、携帯情報端末２に送信する。
【００６６】
一方、処理要求受信手段７０は、無線通信I/F２７０を介して、携帯情報端末２からの処理要求を受信する。そして、処理内容実行手段６０は、HDD２４０からWeb画面情報１２０を読み出し、そのWeb画面情報１２０に、上記の要求された処理を実行する。例えば、Web画面情報１２０を印刷する場合は、プロッタ２９０を介して、携帯情報端末２で設定された詳細情報に従って紙出力させ、また、Web画面情報１２０をFAXで送信する場合は、FCU２５０を介して、携帯情報端末２で設定された詳細情報に従ってFAXで送信させ、さらに、Web画面情報１２０を電子メールで送信する場合は、ネットワークI/F２６０を介して、携帯情報端末２で設定された詳細情報に従って電子メールで送信する。
【００６７】
ここで、上記に示す画像形成装置１が行う各情報処理は、CPU２００の命令に従い、実行される。
【００６８】
（本実施の形態に係る携帯情報端末のハードウェア構成例）
図５を用いて、本実施の形態に係る携帯情報端末２のハードウェア構成例について説明する。図５は、本実施の形態に係る携帯情報端末２のハードウェア構成例を示す図である。
【００６９】
図５に示すように、画像形成装置１は、CPU３００、ROM３１０、RAM３２０、フラッシュメモリ３３０、HDD３４０、無線通信I/F３５０、表示装置３６０から構成される。
【００７０】
CPU３００は、ROM３１０に記憶されたプログラムを実行する装置で、RAM３２０に展開（ロード）されたデータを、プログラムの命令に従って演算処理し、携帯情報端末２の全体を制御する。
【００７１】
ROM３１０は、CPU３００が実行するプログラムやデータを記憶されている。
【００７２】
RAM３２０は、CPU３００でROM３１０に記憶されたプログラムを実行する際に、実行するプログラムやデータが展開（ロード）され、演算の間、演算データを一時的に保持する。
【００７３】
フラッシュメモリ３３０は、電源を切ってもデータが消えず保存される半導体メモリのことであり、携帯情報端末２のセットアップ情報等が保存されている。
【００７４】
HDD３４０は、基本ソフトウェアであるOSや本実施の形態に係る情報処理プログラムを含むアプリケーションプログラムや機能拡張用のプラグインなどを関連するデータとともに記憶する装置である。
【００７５】
無線通信I/F３５０は、画像形成装置１と無線通信を行うためのインタフェースである。例えば、Bluetooth（登録商標）規格に準拠した通信やWi-Fi（登録商標）規格に準拠した通信であっても良い。
【００７６】
表示装置３６０は、ハードキーによるキースイッチとLCDとから構成され、携帯情報端末２が有する機能をユーザが利用する際に、各種設定を行うなどのユーザインタフェースとして機能する装置である。
【００７７】
以下に、携帯情報端末２の動作を説明する。
【００７８】
Web画面情報要求手段８０は、画像形成装置１に対し、無線通信I/F３５０を介して、HTTPリクエストを送信する。
【００７９】
Web画面情報受信手段９０は、無線通信I/F３５０を介して、Web画面情報１２０とWeb画面付加情報１３０とを受信し、これらはHDD３４０に保存される。そして、Web画面情報表示手段１００は、HDD３４０からWeb画面情報１２０とWeb画面付加情報１３０とを読み出し、携帯情報端末２の操作画面（表示装置３６０）にこれらを表示する。Web画面付加情報１３０の選択操作は、操作画面（表示装置３６０）から行われる。
【００８０】
さらに、処理要求通知手段１１０は、無線通信I/F３５０を介して、Web画面情報１２０に対し実行すべき処理内容を、画像形成装置１に送信する。
【００８１】
ここで、上記に示す携帯情報端末２が行う各情報処理は、CPU３００の命令に従い、実行される。
【００８２】
（本実施の形態）
図６を用いて、本実施の形態について説明する。図６は、本実施の形態に係る画像形成システムにおける処理手順のフローチャートを示す図である。
【００８３】
Ｓ１で画像処理システム、すなわち、画像形成装置１と携帯情報端末２との処理が開始される。Ｓ２でWeb画面情報要求手段８０が、Web画面情報１２０を要求するHTTPリクエストを、画像形成装置１に対し、送信する。
【００８４】
Ｓ３でWeb画面情報要求受信手段２０は、上記HTTPリクエストを受信する。そして、Ｓ４でHTTPリクエストが要求するWeb画面情報１２０が画像形成装置１内に無い場合（Ｓ４でYesの場合）は、Ｓ５でWeb画面情報要求転送手段１０が、携帯情報端末２が送信したHTTPリクエストを、外部ネットワークのWebサーバへ転送し、Ｓ６でWeb画面情報取得手段３０が、外部ネットワークのWebサーバからのHTTPレスポンスを受け、携帯情報端末２の要求するWeb画面情報１２０を取得する。
【００８５】
一方、Ｓ４でHTTPリクエストが要求するWeb画面情報１２０が画像形成装置１内に有る場合（Ｓ４でNoの場合）は、Ｓ６でWeb画面情報取得手段３０が、画像形成装置１内のWeb画面情報１２０を取得する。
【００８６】
次に、Ｓ７でWeb画面情報付加手段４０が、Web画面情報１２０に、携帯情報端末２の要求に応じて、画像形成装置１が実行する処理内容を表すWeb画面付加情報を付加する。そして、Ｓ８でWeb画面情報送信手段５０が、HTTPレスポンスとして、携帯情報端末２に対し、このWeb画面情報１２０とWeb画面付加情報１３０とを送信する。
【００８７】
Ｓ９でWeb画面情報受信手段９０が、上記Web画面情報１２０とWeb画面付加情報１３０とを受信する。そして、Ｓ１０でWeb画面情報表示手段１００が、Web画面情報受信手段９０が受信したWeb画面情報１２０とWeb画面付加情報１３０とを、携帯情報端末２の操作画面３６０に表示する。
【００８８】
Ｓ１１で操作画面３６０上のWeb画面付加情報１３０がユーザによって選択されると、Ｓ１２で詳細情報設定手段１０５が、選択されたＷｅｂ画面付加情報１３０に応じた詳細情報を設定する画面を表示し、ユーザがその画面に詳細情報を入力することで、選択されたＷｅｂ画面付加情報１３０に応じた詳細情報が設定される。
【００８９】
例えば、ユーザにより図３の「PRINT」が選択された場合は、Web画面情報１２０を印刷する用紙サイズの指定等を行う画面を表示し、そういった詳細情報を設定する。また、例えば、ユーザにより図３の「FAX」が選択された場合は、Web画面情報１２０をFAX送信する送信相手先の指定等を行う画面を表示し、そういった詳細情報を設定する。さらに、例えば、ユーザにより図３の「e-mail」が選択された場合は、Web画面情報１２０を電子メール送信する送信相手先の指定等を行う画面を表示し、そういった詳細情報を設定する。
【００９０】
そして、Ｓ１３で処理内容通知手段１１０が、その選択されたWeb画面付加情報１３０に対応した処理要求とＳ１２で詳細情報設定手段１０５が設定した詳細情報とを、画像形成装置１に通知する。
【００９１】
Ｓ１４で処理要求受信手段７０が、処理内容通知手段１１０の通知した処理要求とＳ１２で詳細情報設定手段１０５が設定した詳細情報とを受信する。そして、Ｓ１５で処理内容実行手段６０が、Web画面情報１２０に対し、処理要求受信手段７０の受信した処理要求を、Ｓ１２で詳細情報設定手段１０５が設定した詳細情報に従って実行する。
【００９２】
例えば、携帯情報端末２の操作画面３６０上に表示された、図３のWeb画面付加情報１３０の「PRINT」が選択されると、画像形成装置１はWeb画面情報１２０を、詳細情報設定手段１０５が設定した詳細情報に従って印刷する。また、携帯情報端末２の操作画面上に表示された、図３のWeb画面付加情報１３０の「FAX」が選択されると、画像形成装置１はWeb画面情報１２０を、詳細情報設定手段１０５が設定した詳細情報に従って、FAXで送信する。さらに、携帯情報端末２の操作画面上に表示された、図３のWeb画面付加情報１３０の「e-mail」が選択されると、画像形成装置１はWeb画面情報１２０を、詳細情報設定手段１０５が設定した詳細情報に従って、電子メールで送信する。
【００９３】
そして、Ｓ１６で画像形成システムは処理を終了する。
【００９４】
このようにすることで、携帯情報端末を使って、ネットワーク上にある情報を簡単に印刷したり、FAXしたりすることができるような画像形成システム、画像形成装置を提供することができる。
【００９５】
以上、本発明の実施の形態について詳述したが、本発明は係る特定の実施の形態に限定されるものではなく、特許請求の範囲に記載された本発明の要旨の範囲において、種々の変形・変更が可能である。
【図面の簡単な説明】
【００９６】
【図１】本実施の形態に係る画像形成システムのシステム構成例を示す図である。
【図２】本実施の形態に係る画像形成システムの動作原理を示す図である。
【図３】Web画面情報とWeb画面付加情報の表示例を示す図である。
【図４】本実施の形態に係る画像形成装置のハードウェア構成例を示す図である。
【図５】本実施の形態に係る携帯情報端末のハードウェア構成例を示す図である。
【図６】本実施の形態に係る画像形成システムにおける処理手順のフローチャートを示す図である。
【符号の説明】
【００９７】
１      画像形成装置
２      携帯情報端末
１０    Web画面情報要求転送手段
２０    Web画面情報要求受信手段
３０    Web画面情報取得手段
４０    Web画面情報付加手段
５０    Web画面情報送信手段
６０    処理要求実行手段
７０    処理要求受信手段
８０    Web画面情報要求手段
９０    Web画面情報受信手段
１００  Web画面情報表示手段
１１０  処理要求通知手段
１２０  Web画面情報
１３０  Web画面付加情報
【図１】
2009176159.tif 000003
【図２】
2009176159.tif 000004
【図３】
2009176159.tif 000005
【図４】
2009176159.tif 000006
【図５】
2009176159.tif 000007
【図６】
2009176159.tif 000008